(57)【要約】【課題】  商品販売データ処理装置やそのコントローラについて、無停電電源装置などに用いられるバッテリーの交換を容易かつ迅速に行えるようにする。【解決手段】  コントローラ１０１の筐体前面には、ＵＰＳバッテリー１２９を収納するバッテリー収納部３０３が設けられている。ＵＰＳバッテリー１２９には、その周囲を覆って保護する保護部材３０３が装着されている。この保護部材３０３は、ＵＰＳバッテリー１２９を支持する底板と、この底板から延出してＵＰＳバッテリー１２９の両側部を支えて保護する一対の横板と、底板からＵＰＳバッテリー１２９の前面下部に延出した取手３０６とからなる。【選択図】    図６
2006155297.tif 000002
【特許請求の範囲】
【請求項１】
商品販売データ処理装置において、
本装置本体の筐体前面にはバッテリーを収納するバッテリー収納部が設けられ、
このバッテリー収納部内には周囲に保護部材を装着されたバッテリーが収納されている、
ことを特徴とする商品販売データ処理装置。
【請求項２】
前記バッテリーは、前記保護部材上に載置され、
前記保護部材に、前記バッテリー収納部に前記バッテリーが収納された状態で当該バッテリーの前面に位置する取手を備えている、
ことを特徴とする請求項１に記載の商品販売データ処理装置。
【請求項３】
分散型の商品販売データ処理装置を構成するコントローラにおいて、
本装置本体の筐体前面にはバッテリーを収納するバッテリー収納部が設けられ、
このバッテリー収納部内には周囲に保護部材を装着されたバッテリーが収納されている、
ことを特徴とするコントローラ。
【請求項４】
前記バッテリーは、前記保護部材上に載置され、
前記保護部材に、前記バッテリー収納部に前記バッテリーが収納された状態で当該バッテリーの前面に位置する取手を備えている、
ことを特徴とする請求項３に記載のコントローラ。
【発明の詳細な説明】
【技術分野】
【０００１】
本発明は、ＰＯＳ端末等の商品販売データ処理装置及びそのコントローラに関する。
【背景技術】
【０００２】
ＰＯＳ端末などでは、万一の停電の際には販売データが消失しないようにハードディスクドライブなどの記憶装置に保存するため、非常用電源としてＵＰＳバッテリー（ＵＰＳ：Uninterruptible Power System（無停電電源装置））を備えている。
【０００３】
このＵＰＳバッテリーは、その寿命が一般に３年程度であり、ＰＯＳ端末の寿命が５年程度あるのに対して短いため、ＰＯＳ端末が寿命を迎えるまでに通常１回は交換する必要がある。
【０００４】
そして、従来、ＰＯＳ端末のＵＰＳバッテリーを交換するには、ＰＯＳ端末本体の筐体の上側や側面側のカバーを開ける必要があった。
【０００５】
【特許文献１】特開平４−４２０４５号公報
【発明の開示】
【発明が解決しようとする課題】
【０００６】
しかしながら、ＰＯＳ端末本体の筐体上には、表示機器、キーボード、プリンタなどの機器が配置されているため、筐体のカバーを開けるには、これらの機器を取り外さなければならず、ＵＰＳバッテリー交換作業を店舗内の限られたＰＯＳ端末設置スペースで作業するのは煩雑であり、多くの時間を要するという不具合がある。
【０００７】
また、交換の際には注意深く作業をしないと、ＵＰＳバッテリーにキズをつけてしまい、液漏れさせてしまう恐れがあるという不具合もあった。
【０００８】
本発明の目的は、商品販売データ処理装置やそのコントローラについて、無停電電源装置などに用いられるバッテリーの交換を容易かつ迅速に行えるようにすることである。
【課題を解決するための手段】
【０００９】
本発明は、商品販売データ処理装置において、本装置本体の筐体前面にはバッテリーを収納するバッテリー収納部が設けられ、このバッテリー収納部内には周囲に保護部材を装着されたバッテリーが収納されている、ことを特徴とする商品販売データ処理装置である。
【００１０】
別の面から見た本発明は、分散型の商品販売データ処理装置を構成するコントローラにおいて、本装置本体の筐体前面にはバッテリーを収納するバッテリー収納部が設けられ、このバッテリー収納部内には周囲に保護部材を装着されたバッテリーが収納されている、ことを特徴とするコントローラである。
【発明の効果】
【００１１】
本発明によれば、商品販売データ処理装置やそのコントローラ筐体の上側や側面側のカバーを開ける必要はなく、筐体前面からバッテリーを交換することができるので、バッテリーの交換作業を容易かつ迅速に行うことができる。
【００１２】
また、バッテリー収納部内には周囲に保護部材を装着しているので、交換の際の液漏れの心配がなく、この点でもバッテリーの交換作業を容易かつ迅速に行うことができる。
【発明を実施するための最良の形態】
【００１３】
本発明を実施するための最良の一形態について説明する。
【００１４】
ＰＯＳ端末等の商品販売データ処理装置には、いわゆる分散型と呼ばれる種類のものと一体型と呼ばれる種類のものとがある。「分散型」というのは、商品販売データ処理を実行するコントローラ、キーボード、ディスプレイ及びプリンタ等の各構成要素が形態的に分離して構成された商品販売データ処理装置である。「一体型」というのは、そのようなコントローラ、キーボード、ディスプレイ及びプリンタ等の各構成要素が形態的に一体化されて構成された商品販売データ処理装置である。
【００１５】
図１は、分散型の商品販売データ処理装置、本実施の形態ではＰＯＳ端末のコントローラ１０１を示す斜視図である。このコントローラ１０１には、図示しない表示機器、キーボード、プリンタなどが載置され、それぞれコントローラ１０１に接続されて、ＰＯＳ端末として使用される。
【００１６】
このコントローラ１０１は、扁平形状をしており、トップカバー１０２とフロントカバー１０３とで覆われている。フロントカバー１０３には、このフロントカバー１０３の前面部分に開閉自在に設けられた蓋１０４を開閉するための鍵１０５が設けられている。トップカバー１０２には、正面から見てその右側に二つの排気口１０６ａ，１０６ｂが形成されている。
【００１７】
図２は、分散型のＰＯＳ端末のコントローラの分解斜視図である。図３は、コントロールボックスフレーム１０７の斜視図である。コントローラ１０１は、コントロールボックスフレーム１０７にハードウェア構成物１０８を収納し、コントロールボックスフレーム１０７に設けられた段部１０９に追加フレーム１１０を取り付けた状態で、その上面及び側面を覆うようにトップカバー１０２を取り付け、前面を覆うようにフロントカバー１０３を取り付けて構成されている。段部１０９は、コントロールボックスフレーム１０７の切欠形状によって形成され、コントロールボックスフレーム１０７の先端側の高さを他の部分の高さよりも低くするように形成されている。
【００１８】
コントロールボックスフレーム１０７は、扁平形状のフレーム構造体である。このようなコントロールボックスフレーム１０７は、図３に示すように、その内部が仕切り板１１１によって仕切られ、正面から見て右側の空間と左側の空間とが３：１〜４：１程度の割合で区切られている。便宜上、仕切り板１１１によって仕切られた右側の空間を右空間１１２、左側の空間を左空間１１３と呼ぶ。仕切り板１１１にも、段部１０９を形成するための切欠形状が形成されている。
【００１９】
コントロールボックスフレーム１０７の右空間１１２の側の右側壁には、前方側に排気用開口部１１４が形成され、第1の排気用開口部１１４以外の位置にはマザーボードを出し入れするためのマザーボード装着用開口部１１５が形成されている。マザーボード装着用開口部１１５の一部は、第２の排気用開口部１１５ａを兼ねている。コントロールボックスフレーム１０７の右空間１１２の側の背面壁には、各種のコネクタ１１６を外部に露出させるための複数個のコネクタ用開口部１１７が形成されている。
【００２０】
コントロールボックスフレーム１０７の左空間１１３の側の左側壁には、冷却用開口部１１８が形成されている。コントロールボックスフレーム１０７の左空間１１３の側の背面壁には、第３の排気用開口部１１９が形成されている。そして、コントロールボックスフレーム１０７の前面壁には、各種の開口部１２０が形成されている。
【００２１】
次いで、ハードウェア構成物１０８について説明する。コントロールボックスフレーム１０７の右空間１１２には、手前側に寄せてＨＤＤ１２１が配置され、その奥側には底面近くにマザーボード１２２が配置されている。マザーボード１２２は、図示しないＣＰＵやメモリ等を搭載している。ＣＰＵは熱源となる。このため、ＣＰＵの上には第２のファン１２３が取り付けられている。この第２のファン１２３は、その排気口１２３ａをコントロールボックスフレーム１０７のマザーボード装着用開口部１１５の一部に兼ねられた第２の排気用開口部１１５ａに対面させて配置されている。マザーボード１２２は、マザーボード装着用開口部１１５を介してコントロールボックスフレーム１０７に引き出し自在に装着される。
【００２２】
コントロールボックスフレーム１０７の右空間１１２には、背面壁に取り付けられたコネクタ基板１２４が配置されている。このコネクタ基板１２４は、複数個のコネクタ１１６を搭載する。
【００２３】
コントロールボックスフレーム１０７の右空間１１２には、仕切り板１１１の側壁に取り付けられた接続用ボード１２５が配置されている。この接続用ボード１２５は、コネクタ１１６やＨＤＤ１２１等と図示しないリード線を介して接続され、これらのコネクタ１１６やＨＤＤ１２１等とマザーボード１２２に搭載されたＣＰＵとを接続する役割を担う。この役割を果たすために、マザーボード１２２と接続用ボード１２５とには、コントロールボックスフレーム１０７に対するマザーボード１２２の装着動作に伴い接続される図示しないコネクタがそれぞれ設けられている。また、接続用ボード１２５には、拡張ボード１２６を装着するための拡張ボード用コネクタ１２７が複数個設けられており、これらの拡張ボード用コネクタ１２７には複数枚の拡張ボード１２６が差し込まれている。拡張ボード用コネクタ１２７に差し込まれた拡張ボード１２６は、接続用ボード１２５を介してマザーボード１２２に搭載されたＣＰＵに接続される。
【００２４】
コントロールボックスフレーム１０７の左空間１１３には、奥側に位置させて電源ユニット１２８が収納され、手前側に位置させてＵＰＳ（無停電電源装置）バッテリー１２９が収納されている。熱源となる電源ユニット１２８の配置によって、左空間１１３からは熱を逃がす必要が生ずる。そこで、コントロールボックスフレーム１０７の背面壁には、その背面壁に形成された第３の排気用開口部１１９に位置させて図示しない第３のファンが取り付けられ、この第３のファンの作動によって左空間１１３から熱が逃がされる。また、電源ユニット１２８から発生した熱は、コントロールボックスフレーム１０７の冷却用開口部１１８からも逃がされる。
【００２５】
図４〜図６は、蓋１０４を取り外した状態のＰＯＳ端末のコントローラ１０１を示す斜視図である。
【００２６】
図４に示すように、フロントカバー１０３向って左側には、左空間１１３（図２参照）の前面開口部を被う蓋体２０１が設けられ、この蓋体２０１を取り外すと、左空間１１３の内部が露出する。この左空間１１３の内部には、図５、図６に示すように、ＵＰＳバッテリー１２９が収納されるバッテリー収納部３０２が設けられている。よって、コントローラ１０１の筐体前面には、ＵＰＳバッテリー１２９を収納するバッテリー収納部３０３が設けられていることになる。
【００２７】
図７は、ＵＰＳバッテリー１２９の斜視図である。
【００２８】
このＵＰＳバッテリー１２９は、無停電電源装置の駆動電源となるものであり、コントローラ１０１の使用中に停電が発生したときは、コントローラ１０１はＵＰＳバッテリー１２９を非常用電源として販売データをＨＤＤ１２１等の記憶装置に記憶して、データの消失を防止する。
【００２９】
このＵＰＳバッテリー１２９には、その周囲を覆って保護する保護部材３０３が装着されている。この保護部材３０３は、板金を曲げ加工して形成され、ＵＰＳバッテリー１２９を支持する底板３０４と、この底板３０４から延出してＵＰＳバッテリー１２９の両側部を支えて保護する一対の横板３０５（図７には右側の横板３０５のみを図示している）と、底板３０４からＵＰＳバッテリー１２９の前面下部に延出した取手３０６とからなる。
【００３０】
図示はしていないが、ＵＰＳバッテリー１２９にはコネクタが接続され、左空間１１３の内部の図示しないコネクタと接続される。
【００３１】
このように、ＵＰＳバッテリー１２９は、コントローラ１０１の筐体前面から出し入れできるバッテリー収納部３０２内に収納されている。よって、その交換を行なう場合も、コントローラ１０１に配置される表示機器、キーボード、プリンタなどを片付けることなく、コントローラ１０１の筐体前面から取り出すことができる。よって、容易に短時間でＵＰＳバッテリー１２９の交換を行なうことができる。
【００３２】
ＵＰＳバッテリー１２９を交換する際には、コントローラ１０１の筐体前面から取り出したＵＰＳバッテリー１２９の図示しないコネクタを外し、新しいＵＰＳバッテリー１２９を用意して、そのコネクタを左空間１１３の内部の図示しないコネクタと接続してバッテリー収納部３０２内に収納する。あるいは、新しいＵＰＳバッテリー１２９をバッテリー収納部３０２内に収納してから図示しないコネクタ同士を接続する。
【００３３】
また、交換のためにバッテリー収納部３０２からＵＰＳバッテリー１２９を取り出し、あるいは、新たなＵＰＳバッテリー１２９をバッテリー収納部３０２に収納する際には、ＵＰＳバッテリー１２９は保護部材３０３上に載置し、両側を横板３０５で指示して保護された状態で作業することができるので、作業中にＵＰＳバッテリー１２９にキズを付けて液漏れさせる心配がなく、また、液漏れの心配がないために作業を容易かつ迅速に行うことができる。
【００３４】
さらに、ＵＰＳバッテリー１２９は、保護部材３０３上に載置された状態で、ＵＰＳバッテリー１２９の前面に位置する取手３０６を持って片手で容易にバッテリー収納部３０２から取り出し、あるいは収納することができるので、ＵＰＳバッテリー１２９の交換は容易に短時間で終了することができる。
【００３５】
次に、本実施の形態の一体型のＰＯＳ端末について説明する。
【００３６】
本実施の形態では、前述の分散型のＰＯＳ端末のコントローラ１０１の製造と、後述する一体型のＰＯＳ端末２０１の製造とに際して、コントロールボックスフレーム１０７及びハードウェア構成物１０８を共用するようにしている。
【００３７】
図８は、一体型の商品販売データ処理装置、本実施の形態ではＰＯＳ端末２０１を示す斜視図である。一体型のＰＯＳ端末２０１は、手前右側にキーボード２０２、手前左側に紙幣置き２０３、奥右側にオペレータ用と客面用とのそれぞれのディスプレイ２０４ａ，２０４ｂ、奥左側にプリンタ２０５が配置されて構成されている。
【００３８】
図９は、ＰＯＳ端末２０１の分解斜視図である。ＰＯＳ端末２０１は、本体フレーム２０６に各部が支持されて構成されている。つまり、本体フレーム２０６は、扁平形状のフレーム構造体であり、先端側の高さを他の部分の高さよりも低くする第２の段部２０７を有する。このような本体フレーム２０６には、コントロールボックスフレーム１０７が収納されている。そして、キーボード２０２及び紙幣置き２０３はキーボードユニット２０８として一体化され、第２の段部２０７の上面部分に固定される。奥右側にオペレータ用と客面用とのそれぞれのディスプレイ２０４ａ，２０４ｂは、ディスプレイユニット２０９として一体化され、本体フレーム２０６の第２の段部２０７ではない部分の上面に固定される。そして、プリンタ２０５はプリンタユニット２１０として構成され、本体フレーム２０６の第２の段部２０７ではない部分の上面であって、ディスプレイユニット２０９の隣接位置に固定される。さらに、本体フレーム２０６の正面と背面と両側面とは、これらの正面と背面と両側面とに着脱自在に取り付けられる４個の化粧カバー２１１によってそれぞれ覆われている。
【００３９】
図１０は、キーボードユニット２０８とディスプレイユニット２０９とプリンタユニット２１０とを支持する本体フレーム２０６に対して、コントロールボックスフレーム１０７を装着する状態を示す分解斜視図である。図１１は、その側面図である。コントロールボックスフレーム１０７は、本体フレーム２０６の第２の段部２０７に段部１０９を位置付けるようにして本体フレーム２０６の後部より装着される。コントロールボックスフレーム１０７は、本体フレーム２０６に対して引き出し自在である。
【００４０】
図１２は、コントロールボックスフレーム１０７が装着された本体フレーム２０６に対して、キーボードユニット２０８とフロントの化粧カバー２１１とを取り付ける状態を示す側面図である。図１２に示すように、本体フレーム２０６にコントロールボックスフレーム１０７を装着させたなら、キーボードユニット２０８及び前面の化粧カバー２１１を本体フレーム２０６に取り付け、さらに、図１２には図示しないが両側面の化粧カバー２１１を本体フレーム２０６に取り付け、一体型のＰＯＳ端末２０１が完成する。
【００４１】
図１３は、完成した一体型のＰＯＳ端末２０１を示す側面図である。
【００４２】
なお、図１０〜図１２中、本体フレーム２０６に対してハードウェア構成物１０８が全く装着されていない状態のコントロールボックスフレーム１０７が装着される状態が示されているが、実際の製造時には、本体フレーム２０６に対してハードウェア構成物１０８の全部又は一部が装着された状態のコントロールボックスフレーム１０７が装着されることになる。
【００４３】
このような構成のＰＯＳ端末２０１においても、コントロールボックスフレーム１０７及びハードウェア構成物１０８が前述のコントローラ１０１と共通であるため、ＵＰＳバッテリー１２９は、前面の化粧カバー２１１を取り外せば、ＰＯＳ端末２０１の筐体前面から容易に取り出して交換することができる。
【００４４】
また、ＵＰＳバッテリー１２９は保護部材３０３に保護されているので、交換作業の際に液漏れの心配がなく、取手３０６を持ってバッテリー収納部３０２に容易に出し入れすることができる。
【図面の簡単な説明】
【００４５】
【図１】本発明の実施の一形態を示す分散型のＰＯＳ端末のコントローラの斜視図である。
【図２】その分解斜視図である。
【図３】コントロールボックスフレームの斜視図である。
【図４】蓋を取り外した状態のＰＯＳ端末のコントローラを示す斜視図である。
【図５】フロントカバーの蓋体を取り外した状態のＰＯＳ端末のコントローラを示す斜視図である。
【図６】バッテリー収納部からＵＰＳバッテリーを取り外した状態のＰＯＳ端末のコントローラを示す斜視図である。
【図７】保護部材を装着したＵＰＳバッテリーの斜視図である。
【図８】一体型のＰＯＳ端末を示す斜視図である。
【図９】その分解斜視図である。
【図１０】キーボードユニットとディスプレイユニットとプリンタユニットとを支持する本体フレームに対して、コントロールボックスフレームを装着する状態を示す分解斜視図である。
【図１１】キーボードユニットとディスプレイユニットとプリンタユニットとを支持する本体フレームに対して、コントロールボックスフレームを装着する状態を示す側面図である。
【図１２】コントロールボックスフレームが装着された本体フレームに対して、キーボードユニットと前面の化粧カバーとを取り付ける状態を示す側面図である。
【図１３】一体型のＰＯＳ端末を示す側面図である。
【符号の説明】
【００４６】
１０１…コントローラ、１２９…バッテリー、３０２…バッテリー収納部、３０３…保護部材、３０６…取手、２０１…ＰＯＳ端末
【図１】
2006155297.tif 000003
【図２】
2006155297.tif 000004
【図３】
2006155297.tif 000005
【図４】
2006155297.tif 000006
【図５】
2006155297.tif 000007
【図６】
2006155297.tif 000008
【図７】
2006155297.tif 000009
【図８】
2006155297.tif 000010
【図９】
2006155297.tif 000011
【図１０】
2006155297.tif 000012
【図１１】
2006155297.tif 000013
【図１２】
2006155297.tif 000014
【図１３】
2006155297.tif 000015